(57)【要約】【課題】鼻水を吸収するとともに、鼻水でマスクが汚れることを抑制するマスク用の鼻水吸収部材を提供すること。【解決手段】マスクの装着者の鼻水を吸収するためのマスク用の鼻水吸収部材１は、装着者がマスクを装着したときにマスクの装着者の鼻孔の下に相当する位置に配置され、鼻孔からの鼻水を吸収する吸収性の高い吸収材２と、吸収材２をマスクに固定するための粘着シート３と、を有し、吸収材２は、母線が装着者の鼻の幅方向の長さよりも長い円筒形状を有し、粘着シート３によりマスクの鼻孔に対向する面に固定される。【選択図】図２
0003213785.tif 000002
【実用新案登録請求の範囲】
【請求項１】
マスクの装着者の鼻水を吸収するためのマスク用の鼻水吸収部材であって、
前記装着者が前記マスクを装着したときに前記マスクの前記装着者の鼻孔の下に相当する位置に配置され、前記鼻孔からの鼻水を吸収する吸収性の高い吸収材と、
前記吸収材を前記マスクに固定するための粘着シートと、
を有し、
前記吸収材は、母線が前記装着者の鼻の幅方向の長さよりも長い円筒形状を有し、前記粘着シートにより前記マスクの前記鼻孔に対向する面に固定されていることを特徴とするマスク用の鼻水吸収部材。
【請求項２】
前記吸収材は、所定の大きさの円筒形状に巻かれたガーゼであり、
前記粘着シートは、両面に粘着剤が塗布されており、
前記粘着シートの一方の面は、前記ガーゼの巻き終わり部分に貼り付けられ、
前記粘着シートの他方の面は、前記マスクの前記鼻孔に対向する面に貼り付けられることを特徴とする請求項１に記載のマスク用の鼻水吸収部材。
【請求項３】
前記ガーゼを載せるための受け部を有し、
前記受け部は、底辺部及び前記底辺部の両側に立設して設けられた側面部を有する凹形状を有し、
前記受け部に載せられた前記ガーゼは、前記側面部により支持され、
前記受け部の前記マスクと対向する側の前記底面部、又は２つの前記側面部のうちの前記マスクに対向する側の側面部には、前記受け部を前記マスクに固定するための粘着剤が塗布され、又は面ファスナーが貼り付けられていることを特徴とする請求項２に記載のマスク用の鼻水吸収部材。
【請求項４】
マスクの装着者の鼻水を吸収するためのマスク用の鼻水吸収部材であって、
前記装着者が前記マスクを装着したときに前記マスクの前記装着者の鼻孔の下に相当する位置に配置され、前記鼻孔からの鼻水を吸収する吸収性の高い吸収材と、
前記吸収材を載せるための受け部と、
を有し、
前記吸収材は、母線が前記装着者の鼻の幅方向の長さよりも長い円筒形状に巻かれたガーゼであり、
前記受け部は、底辺部及び前記底辺部の両側に立設して設けられた側面部を有する凹形状を有し、
前記受け部に載せられた前記ガーゼは、前記側面部により支持され、
前記受け部の前記マスクと対向する側の前記底面部、又は２つの前記側面部のうちの前記マスクに対向する側の側面部には、前記受け部を前記マスクに固定するための粘着剤が塗布され、又は面ファスナーが貼り付けられ、
前記ガーゼの巻き終わり部分は、粘着シートで固定されていないことを特徴とするマスク用の鼻水吸収部材。
【考案の詳細な説明】
【技術分野】
【０００１】
本考案は、マスク用の鼻水吸収部材に関する。
【背景技術】
【０００２】
近年、花粉症対策や風邪予防などに効果的であるマスクの使用が増加している。特に、風邪の初期や花粉症の人は、鼻全体及び口を覆うマスクを使いながらも、無自覚に鼻孔からたれ落ちる鼻水に対しては、その都度、鼻をかまねばならず、四六時中、ハンカチやちり紙が手放せず、不便である。そのため、例えば、綿を球状にした綿球を鼻孔内に挿入して、鼻水を吸収させるタイプのような、鼻をかむ頻度を減らすとともに、マスクが鼻水で汚れることを抑制する鼻水吸収部材が販売されている。また、マスク本体の鼻及び口側の面に袋部を設け、袋部に鼻水を吸収する吸収体とを内装させて、吸収体で鼻水を吸収できるように構成したマスクが提案されている（例えば、特許文献１参照）。
【先行技術文献】
【特許文献】
【０００３】
【特許文献１】特開２００３−１７５１２１号公報
【考案の概要】
【考案が解決しようとする課題】
【０００４】
しかしながら、マスクを装着しただけでは、鼻水によりマスク本体が濡れて汚れてしまい、何度もマスクを交換する必要が生じる。また、綿球を使用した鼻水吸収部材の場合には、鼻水がたれ落ちることを防止できるが、鼻呼吸ができず、呼吸がしづらいという課題がある。更に、特許文献１で提案されているマスクは、マスク本体とは別部材からなる袋素材をマスク本体に対して縫製等により設けているので、マスクの製作コストが高くなるという課題がある。
【０００５】
本考案は、上記の事情に鑑みてなされたもので、鼻水を吸収するとともに、鼻水でマスクが汚れることを抑制するマスク用の鼻水吸収部材を提供することを例示的課題とする。
【課題を解決するための手段】
【０００６】
上記の課題を解決するために、本考案は以下の趣旨を有する。
【０００７】
［趣旨１］
マスクの装着者の鼻水を吸収するためのマスク用の鼻水吸収部材であって、
前記装着者が前記マスクを装着したときに前記マスクの前記装着者の鼻孔の下に相当する位置に配置され、前記鼻孔からの鼻水を吸収する吸収性の高い吸収材と、
前記吸収材を前記マスクに固定するための粘着シートと、
を有し、
前記吸収材は、母線が前記装着者の鼻の幅方向の長さよりも長い円筒形状を有し、前記粘着シートにより前記マスクの前記鼻孔に対向する面に固定されている。
【０００８】
［趣旨２］
前記吸収材は、所定の大きさの円筒形状に巻かれたガーゼであり、
前記粘着シートは、両面に粘着剤が塗布されており、
前記粘着シートの一方の面は、前記ガーゼの巻き終わり部分に貼り付けられ、
前記粘着シートの他方の面は、前記マスクの前記鼻孔に対向する面に貼り付けられていてもよい。
【０００９】
［趣旨３］
前記ガーゼを載せるための受け部を有し、
前記受け部は、底辺部及び前記底辺部の両側に立設して設けられた側面部を有する凹形状を有し、
前記受け部に載せられた前記ガーゼは、前記側面部により支持され、
前記受け部の前記マスクと対向する側の前記底面部、又は２つの前記側面部のうちの前記マスクに対向する側の側面部には、前記受け部を前記マスクに固定するための粘着剤が塗布され、又は面ファスナーが貼り付けられていてもよい。
【００１０】
［趣旨４］
マスクの装着者の鼻水を吸収するためのマスク用の鼻水吸収部材であって、
前記装着者が前記マスクを装着したときに前記マスクの前記装着者の鼻孔の下に相当する位置に配置され、前記鼻孔からの鼻水を吸収する吸収性の高い吸収材と、
前記吸収材を載せるための受け部と、
を有し、
前記吸収材は、母線が前記装着者の鼻の幅方向の長さよりも長い円筒形状に巻かれたガーゼであり、
前記受け部は、底辺部及び前記底辺部の両側に立設して設けられた側面部を有する凹形状を有し、
前記受け部に載せられた前記ガーゼは、前記側面部により支持され、
前記受け部の前記マスクと対向する側の前記底面部、又は２つの前記側面部のうちの前記マスクに対向する側の側面部には、前記受け部を前記マスクに固定するための粘着剤が塗布され、又は面ファスナーが貼り付けられ、
前記ガーゼの巻き終わり部分は、粘着シートで固定されていない。
【００１１】
本考案の更なる目的又はその他の特徴は、以下添付図面を参照して説明される好ましい実施の形態によって明らかにされるであろう。
【考案の効果】
【００１２】
本考案によれば、鼻水を吸収するとともに、鼻水でマスクが汚れることを抑制するマスク用の鼻水吸収部材を提供することができる。
【図面の簡単な説明】
【００１３】
【図１】実施形態１の（ａ）吸収部材の模式図、（ｂ）吸収部材を貼り付けたマスクの模式図
【図２】実施形態１のマスクを装着したときの様子を説明する図
【図３】実施形態２の（ａ）吸収部材の模式図、（ｂ）マスクを装着したときの様子を説明する図
【図４】実施形態２の（ａ）吸収部材の模式図、（ｂ）マスクを装着したときの様子を説明する図
【考案を実施するための形態】
【００１４】
［実施形態１］
（鼻水吸収部材の構成）
図１は、本考案の実施形態１のマスク用の鼻水吸収部材の構成を示す図である。図１（ａ）は、鼻水を吸収する鼻水吸収部材１（以下、吸収部材１という）の構成を示す斜視図（模式図）である。図１（ｂ）は、吸収部材１をマスク本体４に貼り付けた状態を示す模式図である。
図１（ａ）に示す吸収部材１は、吸収材２と粘着シート３から構成されている。吸収材２は、鼻孔から流れる鼻水を吸収する吸水性の高い材質を有するものであり、本実施形態では折りたたみガーゼ（以下、単にガーゼという）を使用している。図１（ａ）に示す吸収材２は、複数枚のガーゼを重ねたものを丸く巻いて円筒状にしたものである。粘着シート３は、円筒状に巻いた吸収材２の巻き終わり部分を止めるために使用する。円筒形状を有する吸収部材１の直径は、鼻孔と口との間に収まる程度の大きさである。また、吸収部材１を鼻孔の下に当てた場合に、呼吸が苦しくなることがないように、複数枚のガーゼで構成される吸収材２はゆるく巻かれている。更に、両方の鼻孔からの鼻水を受け止めるために、吸収部材１の長さ（円筒形状の母線の長さ）は、人の鼻の幅方向の長さよりも長い長さとしている。
【００１５】
粘着シート３は、円筒状に巻いたガーゼが解けるのを防ぐため、ガーゼの巻き終わり部分を止めるとともに、吸収部材１をマスク本体４（図１（ｂ）参照）に貼り付け、固定するためにも使用する。そのため、粘着シート３は、両面に粘着剤が塗布されている。また、粘着シート３の幅及び長さは、ガーゼの巻き終わり部分が解けることなく、かつマスク本体４から吸収部材１が外れることなく、粘着効果が発揮できる大きさであればよい。
【００１６】
（吸収部材のマスクへの固定）
図１（ｂ）は、吸収部材１をマスク本体４に貼り付け、固定した状態を示す模式図である。なお、５は、マスク本体４を耳に掛けるための耳掛け部である。吸収部材１は、ガーゼの巻き終わり部分を止めた粘着シート３のもう一方の面で、マスク本体４に固定されている（図１（ｂ）の破線で示す粘着シート３）。マスク本体４を装着する場合、人により、鼻を隠さずにマスクを装着する人もいれば、鼻を完全に隠して装着する人もいたりと、人それぞれの装着のしかたがある。そのため、図１（ｂ）に示す吸収部材１のマスク本体４への固定位置は一例であり、この固定位置に限定されるものではない。このように、本実施形態の吸収部材１は、使用する人に応じてマスク本体４の適切な位置に装着できる。更に、吸収部材１が装着可能なマスクの形状は図１（ｂ）の形状に限定されるものではなく、本実施形態の吸収部材１は、市販されている種々のマスクに装着可能である。吸収部材１をマスク本体４に固定する場合には、まず、吸収部材１が鼻孔の下にくるように吸収部材１の位置を決めた状態で、マスク本体４を装着してマスク本体４の装着位置を決める。そして、粘着シート３で吸収部材１をマスク本体４に貼り付けることにより、吸収部材１はマスク本体４に固定される。
【００１７】
（吸収部材を固定したマスクの装着）
図２は、吸収部材１を固定したマスクを顔に装着した状態の様子を示す側面図（模式図）である。なお、図２において、耳掛け部５は省略している。図２に示すように、粘着シート３は、吸収部材１が鼻孔の下の好適な位置に安定して保持されるように、吸収部材１をマスク本体４に固定している。これにより、本実施形態の吸収部材１の使用者は、鼻孔から流れる鼻水は吸収材２に吸収され、従来、無自覚に鼻孔から流れる鼻水に対しては、その都度、ハンカチやちり紙で鼻をかむ煩わしさや不便さから解放される。
【００１８】
（吸収部材の実施例）
以下、本考案のマスク用の吸収部材１の実施例を示すが、本考案が実施例に限られることはない。人の鼻の幅は、成人の場合には４５〜５０ｍｍ程度、子供の場合には３０〜３５ｍｍ程度の大きさであり、成人と子供とでは、その大きさが異なる。そのため、成人用、子供用の２種類の吸収部材１の試作を行った。吸収材２に使用するガーゼは、大人用、子供用とも同じ材質の、１インチ間で５２〜６０本の糸を使用した綿１００％の折りたたみガーゼを使用した。ガーゼにはいろいろな種類があり、１インチ間の糸の数が増えるほど、ガーゼを巻いて作成する吸収材２のガーゼの目地が詰まり、鼻孔の下に当てて使用した場合に息苦しさを感じることがある。そのため、ここでは、折りたたみガーゼを使用した。
【００１９】
成人用の吸収部材１を作成する場合には、１枚の大きさが幅６０ｍｍ×長さ１４５ｍｍのガーゼを３枚重ねあわせて、丸く巻き、直径が１８〜２０ｍｍ程度、長さが６０ｍｍの円筒状にする。一方、子供用の吸収部材１を作成する場合には、１枚の大きさが幅４５ｍｍ×長さ１１５ｍｍのガーゼを３枚重ねあわせて、丸く巻き、直径が１３〜１５ｍｍ程度、長さが４５ｍｍの円筒状にする。そして、ガーゼの巻き止めには、上述した吸収部材１を固定する粘着シート３を使用する。今回使用した粘着シート３は、幅１５ｍｍ×長さ４０ｍｍ（成人用）又は３０ｍｍ（子供用）の表面・裏面の両面に肌にやさしいアクリル系粘着剤を塗布し、その表面に紙セパレータを貼り付けたものである。
【００２０】
粘着シート３を使用する場合には、まず、粘着シート３の片面の紙セパレータを剥がして、吸収材２であるガーゼの巻き終わり部分に貼り付け、巻き終わり部分が解けないように固定する。そして、粘着シート３で巻き終わり部分を固定した吸収材２を鼻孔に当てがい、その状態でマスクをして、マスク本体４に吸収部材１を固定する好適な位置の位置決めを行う。マスク本体４に吸収部材１を固定する位置が決まると、粘着シート３のもう一方の紙セパレ一夕を剥がし、吸収部材１をマスク本体４に貼り付ける。なお、粘着シート３は、無臭又は臭いの少ない材質のものが好ましい。
【００２１】
なお、マスク本体４が、例えばプリーツ型の不織布マスクであれば、鼻掛け部にノーズワイヤー又はスポンジタイプのノーズパットを、マスクの中央部付近で折り曲げた後に、鼻孔の下に吸収部材１を当てて仮固定し、粘着シート３をマスク本体４の鼻側に対向する面に貼り付け、吸収部材１を固定する。ここでは、マスクの種類としてプリーツ型のマスクを使用した場合の吸収部材１のマスク本体４への固定方法について説明したが、吸収部材１はプリーツ型のマスクのほか、例えばガーゼのマスクや、立体型のマスクにも適用することができる。
【００２２】
以上、マスク用の吸収部材１について説明した。本実施形態では、吸収材２には、綿１００％の薄く柔らかなガーゼ生地を使用しているため、ガーゼ本来の吸水性により、鼻水、くしゃみが出た場合には、吸収材２に吸収される。これにより、マスク本体４が汚れず、鼻水等により濡れることがない。また、吸収部材１は、マスクをした状態ではマスク生地に隠れているため、装着しているのが見えにくく、気づかれにくい。更に、吸収部材１は、目地の詰まっていないガーゼを丸く巻くことにより作成されているため、鼻孔に挿入する綿球に比べて、呼吸も楽である。また、吸収部材１は、完全に鼻孔を塞いではいないが、吸収部材１が鼻孔に当てがわれていることにより、微粒子、花粉等がマスク内に入り込んでも、鼻の粘膜に対して所定の防塵効果がある。今回、吸収材２に使用したガーゼは、保温性、吸湿性に優れ、濡れても乾燥が早いという特徴を有している、そのため、吸収材２として使用したガーゼは、粘着シート３を剥がせば、洗濯して再使用することが可能である。また、マスクも直接、鼻水で汚れないので、長く使用することができる。
【００２３】
以上、本考案の好ましい実施の形態を説明したが、本考案はこれらに限定されるものではなく、その要旨の範囲内で様々な変形や変更が可能である。例えば、吸収材２にガーゼを用いる代わりに、眼帯等に使用されるポリエステル綿を用いて、その周りを不織布（例えばスパンレースメッシュ不織布）で覆った吸収材を用いてもよい。また、本実施形態では、粘着シート３は、両面に粘着剤が塗布されたシートを用いたが、例えば、片面のみに粘着剤が塗布されたシートの両端を輪状にして接続し、更に二つ折りにして両面テープのようにすることで、粘着シート３として使用してもよい。
【００２４】
以上、本実施形態によれば、鼻水を吸収するとともに、鼻水でマスクが汚れることを抑制するマスク用の鼻水吸収部材を提供することができる。
【００２５】
［実施形態２］
実施形態１では、両面に粘着剤が塗布された粘着シートの片面で吸収材の巻き終わり部分を固定し、もう一方の面で、吸収剤をマスク本体に固定する吸収部材について説明した。実施形態２では、吸収材を載せた受け部をマスク本体に固定し、鼻孔から流れる鼻水を吸収させるマスク用の鼻水吸収部材について説明する。
【００２６】
（吸収部材の構成）
図３（ａ）は、受け部７に吸収材２を差し込んで載せた状態の鼻水吸収部材６（以下、吸収部材６という）を示す斜視図（模式図）である。吸収部材６は、吸収材２と、受け部７から構成されている。吸収材２は、実施形態１の吸収材２と同様であり、ここでの説明は省略する。図３（ａ）に示すように、受け部７は、吸収材２が載せられる底辺部９と、底辺部９の両側に立設して吸収材２が動かないように支持する側面部８と、を有する構成となっている。そのため、受け部７の形状は、端部側から見ると凹形状となっている。また、本実施形態では、受け部７は、柔らかいシリコン樹脂を用いている。なお、底辺部９の幅（短手方向の長さ）は、円筒形状の吸収材２の直径に応じた幅となっている。受け部７の側面部８の高さ（図中、上下方向の長さ）は、本実施形態では、受け部７に載せた吸収材２が動かないように、かつ、マスク装着時に鼻孔に近い側の側面部８の上端部が鼻孔を塞がないような高さとしている。また、側面部８、底辺部９の長さ（図中、水平方向の長さ）は、吸収材２の長さに合わせて、受け部７に載せた吸収材２を鼻孔に当てた際に吸収材２が移動したり、傾いたりすることのないような長さとしている。
【００２７】
前述した方法で丸く巻かれた吸収材２は、巻き終わり部分を粘着シート３で固定せずに、そのまま受け部７に差し込まれる。受け部７に差し込まれた吸収材２は、受け部７の側面部８、底辺部９により支持されるため、巻き終わり部分を固定しなくても、解けることはない。なお、実施形態１と同様に、吸収材２の巻き終わり部分を粘着シート３で固定し、その粘着シート３を受け部７の側面部８に貼り付ける構成としてもよい。また、吸収材２の巻き終わり部分を粘着シート３で固定した吸収材２を受け部７にそのまま載せ、粘着シート３を受け部７の側面部８に貼り付けない構成としてもよい。
【００２８】
受け部７のマスク本体４に貼り付けられる側の底面部９には、受け部７をマスク本体４に貼り付けるために、自粘着性を有するシリコン樹脂製の粘着材１０が塗布されている。なお、図３（ａ）では、粘着剤１０は底面部９全体に塗布されているが、必ずしも底面部９全体に塗布する必要はなく、マスク本体４から受け部７が剥がれないように底面部９に塗布されていればよい。
【００２９】
吸収材２を載せた受け部７をマスク本体４に固定する場合には、まず、受け部７に載せた吸収材２が鼻孔の下にくるように受け部７の位置を決めた状態で、マスク本体４を装着し、マスク本体４の装着位置を決めた後、受け部７をマスク本体４の方向に押圧することにより、粘着材１０が塗布された受け部７の底面部９がマスク本体４に貼り付き、受け部７はマスク本体４に固定される。
【００３０】
（吸収部材を固定したマスクの装着）
図３（ｂ）は、受け部７に吸収材２を載せた吸収部材６が固定されたマスクを、顔に装着した状態の様子を示す側面図（模式図）である。なお、図３（ｂ）において、耳掛け部５は省略している。図３（ｂ）に示すように、底面部９に塗布された粘着材１０により、吸収部材６が鼻孔の下の好適な位置に安定して保持されるように、受け部７をマスク本体４に固定している。これにより、本実施形態の吸収部材６の使用者は、鼻孔から流れる鼻水は吸収材２に吸収され、従来、無自覚に鼻孔から流れる鼻水に対しては、その都度、ハンカチやちり紙で鼻をかむ煩わしさや不便さから解放される。なお、図３（ｂ）に示すように、側面部８の長さ（マスク本体４から鼻孔方向の長さ）は、鼻孔に近い側（上側）と鼻孔から遠い側（下側）とでは、その長さが異なる。鼻孔に近い側（上側）の側面部８の長さは、鼻孔を塞ぐことがないように短くしている。一方、鼻孔から遠い側（下側）の側面部８の長さは、鼻水を吸収して重くなった吸収材２が口方向にずれないように、鼻孔に近い側（上側）の側面部８よりも長くしている。また、図３（ｂ）では、受け部７をマスク本体４に貼り付けるために、粘着材１０を底面部９のマスク本体４に対向する面に塗布していたが、例えば、マスク本体４に対向する側の側面部８に粘着材１０を塗布して、マスク本体４に貼り付けるようにしてもよい。この場合の側面部８の長さは、マスク本体４に近い側の側面部８と鼻孔に近い側の側面部８とで、異なる長さでもよいし、同じ長さになるようにしてもよい。また、側面部８が同じ長さの場合には、その長さは載せられる吸収材２の直径の半分程度の長さでもよいし、吸収材２の直径の半分よりも短くしたり、逆に長くしたりしてもよい。
【００３１】
（吸収部材の実施例）
以下、本考案のマスク用の吸収部材６の実施例を示すが、本考案が実施例に限られることはない。本実施形態でも、実施形態１と同様に、成人用の吸収材２、子供用の吸収材２の直径をそれぞれ１８〜２０ｍｍ程度、１３〜１５ｍｍ程度とする。底辺部９の吸収材２が載せられる溝部分の幅は、成人用、子供用の吸収材２の直径に応じた幅として、それぞれ２０ｍｍ、１５ｍｍとしている。また、本実施形態でも、実施形態１と同様に、成人用の吸収材２、子供用の吸収材２の長さをそれぞれ６０ｍｍ、４５ｍｍとする。側面部８、底辺部９の長さ（図３（ａ）の水平方向の長さ）は、吸収材２の長さに合わせて、成人用は４０ｍｍ、子供用は３０ｍｍとしている。また、受け部７の側面部８の高さ（図３（ｂ）のマスク本体４から鼻孔方向の長さ）は、本実施形態では、鼻孔に近い側は、２０ｍｍｍ（成人用）又は１５ｍｍ（子供用）程度、鼻孔から遠い側は、３０ｍｍ（成人用）又は２５ｍｍ（子供用）程度としている。
【００３２】
以上、吸収材２を載せる受け部７を有する、マスク用の吸収部材６について説明した。本実施形態の吸収部材６は、実施形態１のような吸収材２であるガーゼの巻き終わりを止めるために粘着シート３を必ずしも貼り付ける必要がなく、丸く巻いた吸収材２をそのまま受け部７に載せるだけで、手間がかからない。また、吸収材２を交換する場合にも、吸収材２だけを交換すればよく、受け部７をその都度、マスク本体４から外す必要がない。吸収部材６は、受け部７を粘着材１０を介してマスク本体４に貼り付けて固定するため、簡単にマスク本体４から剥がすことができる。また、粘着材１０は自粘着性を有するため、何度でもマスクへの貼付又は剥がしが可能であり、マスクを交換しても、受け部７は新しいマスクで繰り返し使用することができる。更に、受け部７は、マスクや顔の形状に沿って変形する柔らかい素材（例えばシリコン成形樹脂）を使用しているので、顔（肌）に触れてもストレスとなりにくい。
【００３３】
上述した本実施形態では、受け部７をマスク本体４に貼り付けるために粘着材１０を使用したが、粘着材１０の代わりに、例えば図４に示すような面ファスナー１１を用いて受け部７をマスク本体４に貼り付けるようにしてもよい。図４（ａ）は、受け部７に吸収材２を差し込んで載せた状態の吸収部材６を示す斜視図（模式図）である。図４（ａ）に示すように、マスク本体４に貼り付けられる側の受け部７の側面部８には、受け部７をマスク本体４に貼り付けるための面ファスナー１１が貼り付けられている。面ファスナー１１の両面には、感圧性の粘着材が塗布され、片面は受け部７の側面部８に貼り付けられ、もう一方のマスク本体４に貼り付けられる面の表面には、紙セパレータが貼り付けられている。
【００３４】
吸収材２を載せた受け部７をマスク本体４に固定する場合には、まず、受け部７に載せた吸収材２が鼻孔の下にくるように受け部７の位置を決めた状態で、マスク本体４を装着し、マスク本体４の装着位置を決める。そして、受け部７の側面部８に貼り付けられた面ファスナー１１の紙セパレータを剥がし、受け部７をマスク本体４の方向に押圧することにより、面ファスナー１１がマスク本体４に貼り付き、受け部７はマスク本体４に固定される。
【００３５】
図４（ｂ）は、受け部７に吸収材２を載せた吸収部材６が固定されたマスクを、顔に装着した状態の様子を示す側面図（模式図）である。なお、図４（ｂ）において、耳掛け部５は省略している。図４（ｂ）に示すように、面ファスナー１１は、吸収部材６が鼻孔の下の好適な位置に安定して保持されるように、受け部７をマスク本体４に固定している。これにより、本実施形態の吸収部材６の使用者は、鼻孔から流れる鼻水は吸収材２に吸収され、従来、無自覚に鼻孔から流れる鼻水に対しては、その都度、ハンカチやちり紙で鼻をかむ煩わしさや不便さから解放される。なお、ここでは、図４（ｂ）に示すように、側面部８の長さ（底面部９から鼻孔方向の高さ）は、鼻孔に近い側と鼻孔から遠い側（マスクに近い側）で、同じ長さとしているが、例えばマスクに近い側は長く、鼻孔に近い側は短くなるように、異なる長さとしてもよい。また、側面部８が同じ長さの場合には、その長さは、載せられる吸収材２の直径の半分程度の長さでもよいし、吸収材２の直径の半分よりも短くしたり、逆に長くしたりしてもよい。更に、ここでは、受け部７をマスク本体４に貼り付けるために、面ファスナー１１を側面部８のマスク本体４に対向する面に貼り付けているが、例えば、底面部９のマスク本体４に対向する面に面ファスナー１１を貼り付けて、受け部７の底面部９をマスク本体４に貼り付けるようにしてもよい。この場合も、側面部８の長さは、同じ長さでもよいし、異なる長さにしてもよい。更に、側面部８が同じ長さの場合には、載せられる吸収材２の直径の半分程度の長さでもよいし、吸収材２の直径の半分よりも短くしたり、逆に長くしたりしてもよい。
【００３６】
以上、本実施形態によれば、鼻水を吸収するとともに、鼻水でマスクが汚れることを抑制するマスク用の鼻水吸収部材を提供することができる。
【符号の説明】
【００３７】
１    吸収部材
２    吸収材
３    粘着シート
４    マスク本体
５    耳掛け部
６    吸収部材
７    受け部
８    側面部
９    底辺部
１０  粘着材
１１  面ファスナー
【図１】
0003213785.tif 000003
【図２】
0003213785.tif 000004
【図３】
0003213785.tif 000005
【図４】
0003213785.tif 000006